(57)【要約】【課題】コストダウンと工数削減のできる三脚取付部材を備えたカメラを提供する。【解決手段】ボディフレーム３０に一体に設けた爪３２，３３によって三脚取付部材３１を仮止めする。前後カバー２５，２６をボディフレーム３０に組み付けると、前後カバー２５，２６の内側に一体に形成してある位置規制リブ３７によって三脚取付部材３１が挟持され固定位置へ位置規制される。この固定位置では、三脚取付部材３１のねじ穴３８とボディフレーム３０のねじ挿入穴２９と前後カバー２５，２６の取付穴２４のセンターが一致しているため、前後カバー２５，２６を固定する取付ねじ２３によって三脚取付部材３１とボディフレーム３０も同時に固定できる。【選択図】　　　　図４
2004077880.tif 000002
【特許請求の範囲】
【請求項１】
各種撮影機構を組み込んだボディフレームと三脚固定用のねじ穴を有した三脚取付部材と前記ボディフレームを前後から覆う一対の前後カバーとを備えたカメラにおいて、
前記三脚取付部材に形成された係止穴と、前記ボディフレームに形成された係止爪と、前記前後カバーの内側の各々に形成された位置規制部材とを備え、
前記三脚取付部材を前記ボディフレーム底面に配置し、前記係止穴を前記係止爪に係止させて前記三脚取付部材を固定位置付近に仮止めし、前記前後カバーを前記ボディフレームに取付けることで前記位置規制部材が前記三脚取付部材を狭持して固定位置に位置規制することを特徴としたカメラ。
【請求項２】
前記三脚取付部材に設けた固定用のねじ穴と前記ボディフレームに設けたねじ挿入穴と前記前後カバーに設けられた取付け穴とが一致し、前記ボディフレームを取付ける取付けビスによって前記三脚取付部材と前記ボディフレームと前記前後カバーとが同時に固定されることを特徴とした請求項１記載のカメラ。
【発明の詳細な説明】
【０００１】
【発明の属する技術分野】
本発明は、三脚取付部材を備えたカメラに関するものである。
【０００２】
【従来の技術】
カメラを使用してセルフタイマー撮影を行う場合や、夜景の撮影等で長時間露光を行う場合などでは、カメラを三脚に固定する必要がある。このために、一般に市販されているカメラには、その底面などに三脚を固定するためのねじ穴を有する三脚取付部材が設けられている。通常、このような三脚取付部材は、カメラ本体のフレームにビス止めや溶接によって強固に固定されている。
【０００３】
また、仮止めを行ってから固定する技術については、下記のような技術が開示されている。特開平１１−６８３２８号公報によれば、インターホン子機等の電子機器の内ケースを外装するカバーに、氏名等を記載した表示カードを固定させるため、表示カードを保持するための保持部を有する窓と前記窓の外周に延設された弾性爪部とによって表示カードを仮止めし、外装カバーを内ケースに組付けることで、接着剤や別部品を使用せずに表示カードを固定するものである。実開平０７−２７１９０号公報においても、電子部品が実装されたプリント基板の保持ケースにおいて、切り起こし部を有した下ケースに前記プリント基板を仮止めし、上ケースを固定するときの位置決めが行われる。上ケースに備えられた鉤状の爪部を下ケースに設けられた穴に係合させてプリント基板と上下ケースをビス止めすることで部品点数が削減できるというものである。
【０００４】
【発明が解決しようとする課題】
しかしながら、上記したように、三脚取付部材をカメラ本体のフレームにビス止めや溶接によって固定すると、製造時の工数や部品点数が増加しコストアップになる。爪部や切り起こし部を用いて仮止めを行う場合では、小型のビスを使用するカメラにおいては、仮止め位置の精度が良くなければ複数のねじ穴のセンターを一致させることは困難であり作業性が悪くなる。また、爪部や切り起こし部を精度良く成形するにはコストがかかってしまう。
【０００５】
本発明は、上記問題点を解決するためになされたものであり、三脚取付部材をボディフレームに固定する際に十分な強度を確保しながら、工数と部品点数の削減を行うことによるコストの削減と、三脚取付部材を固定する際にねじ穴の確実な位置出しが簡便に行えることで、組み立て作業を効率良く行うことができるカメラを提供することを目的とする。
【０００６】
【課題を解決するための手段】
上記目的を達成するために、本発明のカメラは、各種撮影機構を組み込んだボディフレームと三脚固定用のねじ穴を有した三脚取付部材と前記ボディフレームを前後から覆う一対の前後カバーとを備ており、三脚取付部材に形成された係止穴と、ボディフレームに形成された係止爪と、前後カバーの内側の各々に形成された位置規制部材とを備え、三脚取付部材をボディフレーム底面に配置し、係止穴を係止爪に係止させて三脚取付部材を固定位置付近に仮止めし、前後カバーをボディフレームに取付けることで位置規制部材が三脚取付部材を狭持して固定位置に位置規制したものである。
【０００７】
三脚取付部材に設けた固定用のねじ穴とボディフレームに設けたねじ挿入穴と前後カバーに設けられた取付け穴とが一致し、ボディフレームを取付ける取付けビスによって三脚取付部材とボディフレームと前後カバーとが同時に固定されるものである。
【０００８】
【発明の実施の形態】
図１は本発明を使用したカメラの外観斜視図である。デジタルカメラ１０は、そのカメラ本体１１の前面に、撮影レンズ１２、ストロボ発光部１３、ファインダ対物窓１４、ストロボスイッチ１６が設けられている。背面には、ファインダ接眼窓１７、ＬＣＤ表示パネル１８、操作パネル１９が設けられている。そして、カメラ本体１１の上面には撮影スイッチ２１が、側面には通信用コネクタ２２が設けられている。図１（Ｂ）はカメラ本体１１の下面を上にした図である。
【０００９】
カメラ本体１１の前カバー２５と後ろカバー２６は、合成樹脂材等で形成されており、カメラ本体１１に組み付けられた後に下面の取付穴２４から取付ねじ２３で固定されている。カメラ本体１１の下面には三脚取付用の三脚ねじ部２７が備えられている。この三脚ねじ部２７は合成樹脂材よりも強度の高い鉄やステンレス等の金属で形成されている。
【００１０】
図２に示すように、カメラ本体１１の内部には各種撮影機構（図示せず）を組み付けるステンレス製のボディフレーム３０が組み込まれている。このボディフレーム３０の底面３０ａには三脚取付部材３１を仮止めするための爪３２、３３が一体に形成されており、爪３２は紙面と垂直な方向に弾性変形が可能である。その他にも、三脚取付部材３１の下面から突出している三脚ねじ部２７を挿入する三脚ねじ用開口部２８と前後カバー２５，２６に設けてある取付穴２４に対応する位置にねじ挿入穴２９が設けられている。
【００１１】
三脚取付部材３１には、ボディフレーム３０の底面３０ａに設けられた爪３２、３３に対応した位置に開口部３５、３６が設けてある。三脚取付部材３１の下面には、三脚を固定するためのねじ穴を有した三脚ねじ部２７が一体に形成されており下方に突出している。また、三脚取付部材３１を底面３０ａに固定するためのねじ穴３８がねじ挿入穴２９に対応した位置に設けられている。
【００１２】
三脚取付部材３１の仮止め方法について説明する。図３の拡大図にも示すように、爪３２の先端部３２ａは三脚取付部材３１の開口部３５に落ち込むように下に折り曲げて形成されている。この折り曲げられた先端部３２ａは、後カバー２６側の先端部より前カバー２５側の先端部の方が下方へ長く延びており、斜面３２ｂを形成している。
【００１３】
三脚取付部材３１に備えられた開口部３６は幅の広い開口部３６ａと幅の狭い開口部３６ｂが一体に形成されている。この幅の広い開口部３６ａは爪３３を三脚取付部材３１の下方側から挿入するのに十分な大きさを備えている。三脚取付部材３１を仮止めするには、まず図２（Ｂ）のように、底面３０ａ上方で三脚取付部材３１を爪３２をかわす位置へ斜めに配置させ、三脚ねじ部２７は底面３０ａの三脚ねじ用開口部２８へ、爪３３は幅の広い開口部３６ａへ同時に挿入させる。
【００１４】
三脚取付部材３１の下面とボディフレーム３０の底面３０ａを接触させたままの状態で、開口部３５側の三脚取付部材３１を矢印の方向へ回転させる。三脚取付部材３１の縁部４０を爪３２の斜面３２ｂに接触させ、さらに三脚取付部材３１を矢印の方向へ回転させると、弾性変形可能な爪３２は斜面に沿って上方へ持ち上がり、先端部３２ａが三脚取付部材３１の上面を移動して行き、先端部３２ａが開口部３５へ落ち込む。
【００１５】
また、三脚取付部材３１を前記矢印の方向へ回転させたため、爪３３は幅の広い開口部３６ａからスライドして幅の狭い開口部３６ｂへと移動する。そのため、爪３３の下部へ三脚取付部材３１の一部が潜り込むため上方への抜け止め防止となり図２（Ｃ）のように仮止めされる。この時点では、開口部３５、３６と爪３２，３３との間に十分な空間があるため、三脚取付部材３１は正確な固定位置には位置規制されていない。
【００１６】
図３に示すように、ボディフレーム３０を覆うように組付けられる前後カバー２５，２６の底面には、前記ボディフレーム３０の底面３０ａから下方へ突出された三脚ねじ部２７の側面を挟持するための挟持部２５ａ，２６ａが形成されている。この挟持部２５ａ，２６ａは、前後カバー２５，２６がボディフレーム３０に組み付けられると、三脚ねじ部２７の側面を挟持するため、仮止めされた三脚取付部材３１の前後左右の位置決めが行われる。また、前後カバー２５，２６の内側には、三脚取付部材３１の側面に対峙する位置に三脚取付部材３１の回転方向の動きを規制する位置規制リブ３７が形成されている。
【００１７】
図４に示すように、ボディフレーム３０とボディフレーム３０に仮止めされた三脚取付部材３１を覆うように前後カバー２５，２６を組み付けると、前後カバー２５，２６に設けてある挟持部２５ａ，２６ａによって三脚ねじ部２７が挟持され前後左右の動きが規制される。前後カバー２５，２６の内側に設けてある位置規制リブ３７が、三脚取付部材３１の側面を挟持するので回転方向が規制され、正確な固定位置へ位置規制される。
【００１８】
この時、三脚取付部材３１のねじ穴３８とボディフレーム３０のねじ挿入穴２９と前後カバー２５，２６の取付穴２４のセンターが一致しているので、前後カバー２５，２６の取付ねじ２３だけで三脚取付部材３１とボディフレーム３０と前後カバー２５，２６を同時に取り付けることが出来る。
【００１９】
前後カバーの挟持部によって三脚取付部材の前後左右の位置規制を行ったが、これを位置規制部材によって行ってもよい。その場合は、三脚取付部材を三方向又は四方向から位置規制部材によって挟持させるものである。
【００２０】
本実施例では、デジタルカメラに本発明を用いたが、写真フイルムを使用するカメラやビデオカメラに用いてもよい。
【００２１】
【発明の効果】
以上のように、本発明によれば、三脚取付部材をボディフレームに設けた爪によって仮止めを行い、外装カバーに設けた三脚ねじ部の挟持部によって三脚取付部材の前後左右の位置を規制し、位置規制リブによって回転方向の位置規制が行われ固定位置への確実な位置規制を行うことで、カメラ製造時の工数と部品点数の削減ができ、三脚取付部材を固定する際のネジ穴の確実な位置出しが簡便に行えるので、組み立て作業を効率良く行うことができる。
【図面の簡単な説明】
【図１】デジタルカメラの外観斜視図である。
【図２】三脚取付部材の仮止め方法を示す説明図である。
【図３】三脚取付部材の仮止めを示す分解斜視図である。
【図４】位置規制リブによる位置規制の説明図である。
【符号の説明】
１０　デジタルカメラ
２５　前カバー
２６　後カバー
２７　三脚ねじ部
３０　ボディフレーム
３１　三脚取付部材
３２　爪（弾性）
３３　爪
３７　位置規制リブ
【図１】
2004077880.tif 000003
【図２】
2004077880.tif 000004
【図３】
2004077880.tif 000005
【図４】
2004077880.tif 000006